(57)【要約】【課題】アンテナ特性を維持しつつ、小型化及び薄型化を実現することができる携帯無線端末装置を提供すること。【解決手段】携帯電話機１は、操作部側筐体２と、操作部側筐体２に配置される回路基板７０と、回路基板７０に実装された給電部７５と、回路基板７０に形成されたグランド部７７と、グランド部７７に接続される負極充電端子７１ｂと、操作部側筐体２に配置され、給電部７５に接続されるアンテナ６６の放射エレメント６６ａと、放射エレメント６６ａに対して所定距離を隔てて配置され、かつ、接続端子７２ｂに接続されるグランドエレメント７４と、を備える。【選択図】図３
2011135249.tif 000002
【特許請求の範囲】
【請求項１】
筐体と、
該筐体に配置される回路基板と、
該回路基板に実装された高周波給電部と、
前記回路基板に形成されたグランド部と、
該グランド部に接続される負極充電端子と、
前記筐体に配置され、前記高周波給電部に接続されるアンテナの放射エレメントと、
該放射エレメントに対して所定距離を隔てて配置され、かつ、前記負極充電端子に接続される前記アンテナのグランドエレメントと、を備える携帯無線端末装置。
【請求項２】
前記アンテナは、複数の周波数帯に対応可能なマルチバンドアンテナであり、
前記グランドエレメントは、前記複数の周波数帯のうち一の周波数帯に対応する前記放射エレメントの長手方向に対して平行に形成される請求項１に記載の携帯無線端末装置。
【請求項３】
前記グランドエレメントは、前記負極充電端子と一体に成形された板金からなる請求項１又は２に記載の携帯無線端末装置。
【請求項４】
前記筐体は、前記回路基板及び前記アンテナが配置される第１ケース部と、前記第１ケース部と結合して前記回路基板及び前記アンテナを収容する第２ケース部を有し、
前記グランドエレメントは、前記第２ケース部における前記回路基板と対向する側の面とは反対側の面に形成される請求項１から３のいずれか一項に記載の携帯無線端末装置。
【請求項５】
前記筐体は、前記回路基板及び前記アンテナが配置される第１ケース部と、前記第１ケース部と結合して前記回路基板及び前記アンテナを収容する第２ケース部を有し、
前記グランドエレメントは、前記第２ケース部における前記回路基板と対向する側の面に形成される請求項１から３のいずれか一項に記載の携帯無線端末装置。
【請求項６】
前記グランドエレメントは、前記回路基板上に実装される請求項１から３のいずれか一項に記載の携帯無線端末装置。
【発明の詳細な説明】
【技術分野】
【０００１】
本発明は、アンテナを有する携帯無線端末装置に関する。
【背景技術】
【０００２】
従来、携帯電話機等の携帯無線端末装置において、アンテナと、無給電素子とを有するものが知られている（例えば、特許文献１参照）。このような携帯無線端末装置は、アンテナの放射エレメントの近傍に無給電素子を設けることにより、アンテナ特性（例えば、アンテナの利得）を向上させることができる。
【０００３】
特許文献１に記載の広帯域内蔵アンテナ装置は、筐体の箱部分にアンテナが形成された回路基板を配置し、筐体の蓋部分に無給電素子を配置している。そして、広帯域内蔵アンテナ装置において、箱部分と蓋部分とを組み合わせたときに、アンテナと無給電素子とが静電容量結合されることが開示されている。
【先行技術文献】
【特許文献】
【０００４】
【特許文献１】特開２００８−８５４３６号公報
【発明の概要】
【発明が解決しようとする課題】
【０００５】
一方、携帯無線端末装置については、小型化及び薄型化が要望される場合がある。しかし、携帯無線端末装置の小型化及び薄型化を実現しようとすると、携帯無線端末装置の筐体内において、無給電素子を配置することが困難になり、その結果、アンテナ特性の劣化を招くおそれがあった。
【０００６】
そこで、本発明は、アンテナ特性を維持しつつ、小型化及び薄型化を実現することができる携帯無線端末装置を提供することを目的とする。
【課題を解決するための手段】
【０００７】
本発明に係る携帯無線端末装置は、上記課題を解決するために、筐体と、該筐体に配置される回路基板と、該回路基板に実装された高周波給電部と、前記回路基板に形成されたグランド部と、該グランド部に接続される負極充電端子と、前記筐体に配置され、前記高周波給電部に接続されるアンテナの放射エレメントと、該放射エレメントに対して所定距離を隔てて配置され、かつ、前記負極充電端子に接続される前記アンテナのグランドエレメントと、を備えることを特徴とする。
【０００８】
また、前記アンテナは、複数の周波数帯に対応可能なマルチバンドアンテナであり、前記グランドエレメントは、前記複数の周波数帯のうち一の周波数帯に対応する前記放射エレメントの長手方向に対して平行に形成されることが好ましい。
【０００９】
また、前記グランドエレメントは、前記負極端子と一体に成形された板金からなることが好ましい。
【００１０】
また、前記筐体は、前記回路基板及び前記アンテナが配置される第１ケース部と、前記第１ケース部と結合して前記回路基板及び前記アンテナを収容する第２ケース部を有し、前記グランドエレメントは、前記第２ケース部における前記回路基板と対向する側の面とは反対側の面に形成されることが好ましい。
【００１１】
また、前記筐体は、前記回路基板及び前記アンテナが配置される第１ケース部と、前記第１ケース部と結合して前記回路基板及び前記アンテナを収容する第２ケース部を有し、前記グランドエレメントは、前記第２ケース部における前記回路基板と対向する側の面に形成されることが好ましい。
【００１２】
また、前記グランドエレメントは、前記回路基板上に実装されることが好ましい。
【発明の効果】
【００１３】
本発明によれば、アンテナ特性を維持しつつ、小型化及び薄型化を実現することができる携帯無線端末装置を提供することができる。
【図面の簡単な説明】
【００１４】
【図１】本発明に係る携帯無線端末装置の第１実施形態である携帯電話機の外観斜視図である。
【図２】操作部側筐体に内蔵される部材の分解斜視図である。
【図３】第１実施形態の携帯電話機におけるアンテナ及びグランドエレメントの構成を示す概略図である。
【図４】フロントケースとリアケースとを結合させた場合における断面構造を示す図である。
【図５】放射エレメント、回路基板、グランドエレメント、給電部及び充電ピンの構成について示す概略図である。
【図６】第２実施形態の携帯電話機におけるアンテナ及びグランドエレメントの構成を示す概略図である。
【図７】第２実施形態の携帯電話機において、フロントケースとリアケースとを結合させた場合における断面構造を示す図である。
【図８】第３実施形態の携帯電話機におけるアンテナ及びグランドエレメントの構成を示す概略図である。
【図９】第３実施形態の携帯電話機において、フロントケースとリアケースとを結合させた場合における断面構造を示す図である。
【図１０】第４実施形態の携帯電話機におけるアンテナ及びグランドエレメントの構成を示す概略図である。
【発明を実施するための形態】
【００１５】
＜第１実施形態＞
以下、本発明の好適な実施形態について説明する。図１は、本発明に係る携帯無線端末装置の第１実施形態である携帯電話機１の外観斜視図である。
携帯電話機１は、表面がフロントケース２ａとリアケース２ｂにより構成される操作部側筐体２と、表面がフロントパネル３ａとリアパネル３ｂにより構成される表示部側筐体３とを備える。操作部側筐体２は、フロントケース２ａ表面に、操作ボタン群１１と、携帯電話機１の使用者が通話時に発した音声が入力される音声入力部１２とが露出するように構成される。また、操作ボタン群１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５とを有する。また、操作部側筐体２の側面には、外部機器（例えば、ホスト装置）と通信を行うためのインターフェースを覆うキャップ１６が設けられている。
【００１６】
また、表示部側筐体３は、フロントパネル３ａに、各種情報を表示するためのディスプレイ２１と、通話の相手側の音声を出力する音声出力部２２とが露出するように構成される。
【００１７】
また、操作部側筐体２の上端部と表示部側筐体３の下端部とは、図１に示すように、ヒンジ機構４を介して連結されている。また、携帯電話機１は、ヒンジ機構４を介して連結された操作部側筐体２と表示部側筐体３とを相対的に動かすことにより、操作部側筐体２と表示部側筐体３とが互いに開いた状態（開放状態）にしたり、操作部側筐体２と表示部側筐体３とが折り畳まれた状態（折畳み状態）にしたりできる。なお、本実施形態において、ヒンジ機構４による折り畳み式の携帯電話機１の説明をしているが、折り畳み式ではなく、操作部側筐体２と表示部側筐体３とを重ね合わせた状態から一方の筐体を一方向にスライドさせるようにしたスライド式や、重ね合せ方向に沿う軸線を中心に一方の筐体を回転させるようにした回転式や、操作部側筐体２と表示部側筐体３とを、２軸ヒンジを介して連結したもの、さらには、操作部側筐体２と表示部側筐体３とが一つの筐体に配置されたもの（いわゆる、ストレートタイプ）でもよい。
【００１８】
図２は、操作部側筐体２に内蔵される部材の分解斜視図である。
図２に示すように、操作部側筐体２は、フロントケース２ａと、上述した操作ボタン群１１を構成するキーシート４０と、フレキシブルプリント回路基板５０と、シールドケース６０と、基準電位パターンが形成されている層及び携帯電話機用のＲＦ（Ｒａｄｉｏ  Ｆｒｅｑｕｅｎｃｙ）モジュール等の各種電子部品を備える回路基板７０と、リアケース２ｂと、二次電池８０と、電池蓋９０とを備える。また、操作部側筐体２において、フロントケース２ａと、キーシート４０と、フレキシブルプリント回路基板５０と、シールドケース６０と、支持部材６５と、アンテナ６６と、回路基板７０と、リアケース２ｂとは、積層的に配置される。二次電池８０は、リアケース２ｂの外側から装脱可能に収納され、電池蓋９０により覆われる。また、二次電池８０は、回路基板７０と接続し、回路基板７０上に実装された電子部品に電力を供給する。
【００１９】
また、フロントケース２ａとリアケース２ｂとは、互いの凹状の内側面が向き合うように配置され、互いの外周縁が重なり合うようにして結合される。また、フロントケース２ａとリアケース２ｂとの間には、キーシート４０と、フレキシブルプリント回路基板５０と、シールドケース６０と、回路基板７０とが挟まれるようにして内蔵される。つまり、回路基板７０を覆うようにしてシールドケース６０が積層配置され、また、シールドケース６０の上面側にフレキシブルプリント回路基板５０が積層配置され、また、フレキシブルプリント回路基板５０の上面にキーシート４０が積層配置される。つまり、フロントケース２ａとリアケース２ｂとは、キーシート４０と、フレキシブルプリント回路基板５０と、シールドケース６０と、回路基板７０とを収容している。
【００２０】
回路基板７０は、シールドケース６０と対向する上面７０ａと、リアケース２ｂと対向する裏面７０ｂとを有している。
また、回路基板７０とシールドケース６０とは、複数の連結部において着脱可能に部分的に固定される。また、回路基板７０には、複数の電子回路が形成されている。複数の電子回路は、所定の機能を発揮する各種電子部品により構成されている。また、各種電子部品は、所定の組み合わせにより複数の回路ブロックを形成する。例えば、無線回路、電源回路、デジタル回路等を含む各種回路ブロックが形成される。
【００２１】
シールドケース６０は、薄型の直方体における一の広い面が開口した形状を有する金属製の部材である。なお、シールドケース６０は、金属により形成する以外に、骨格を樹脂により形成し、その表面に導体膜を形成したものでもよい。
【００２２】
フレキシブルプリント回路基板５０は、フロントケース２ａ側の面に複数のキースイッチ５１、５２、５３を有し、シールドケース６０における平板部４２に載置される。フレキシブルプリント回路基板５０のキースイッチ５１、５２、５３は、椀状に湾曲して立体的に形成された金属板のメタルドームを有する構造になっている。メタルドームは、その椀状形状の頂点が押圧されると、フレキシブルプリント回路基板５０の表面に印刷された不図示の電気回路に形成されるスイッチ端子に接触して電気的に導通する。なお、フレキシブルプリント回路基板５０は、複数の絶縁フィルムの間に配線を挟み込んで構成される基板である。
【００２３】
キーシート４０は、シリコンゴム製のシート４１の表面に操作ボタン群１１が接着剤により貼り付けられて構成される。キーシート４０における操作ボタン群１１を構成する機能設定操作ボタン１３、入力操作ボタン１４及び決定操作ボタン１５は、フレキシブルプリント回路基板５０におけるキースイッチ５１、５２、５３と対向する位置に配置されると共に、後述するフロントケース２ａに形成されるキー孔から露出するように配置される。
【００２４】
フロントケース２ａには、携帯電話機１を折り畳んだ状態で表示部側筐体３のディスプレイ２１と対向する内側面に、キー孔が複数形成される。複数のキー孔それぞれからは、キーシート４０上に形成される機能設定操作ボタン１３、入力操作ボタン１４及び決定操作ボタン１５の押圧面が露出する。この露出した操作ボタン群１１を構成する機能設定操作ボタン１３、入力操作ボタン１４及び決定操作ボタン１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００２５】
リアケース２ｂは、回路基板７０と対向する側の面である内面２３と、内面２３の反対側の面である二次外観面２４とを有している。
リアケース２ｂの一端側には、支持部材６５の上に配置され、支持部材６５によって支持されたアンテナ６６が配置される。アンテナ６６は、携帯電話機１における一端側に配置される。具体的には、アンテナ６６は、携帯電話機１におけるヒンジ機構４側と反対の端部側に配置される。
【００２６】
アンテナ６６は、高周波給電部としての給電部７５（図５参照）を介して回路基板７０から給電されると共に、回路基板７０のＲＦモジュール等と接続される。
【００２７】
アンテナ６６は、複数の使用周波数帯に対応可能なマルチバンドアンテナである。
例えば、アンテナ６６は、３バンドに対応可能であり、第１の使用周波数帯（例えば、８００ＭＨｚ）及び第２の使用周波数帯（例えば、２ＧＨｚ）で外部装置（基地局）と通信を行い、第３の使用周波数帯（例えば、１．５ＧＨｚ）でＧＰＳ通信を行う。
【００２８】
アンテナ６６は、上述した３つの使用周波数帯に対応しているため、複数の放射エレメント６６ａを有している。放射エレメント６６ａは、３つの使用周波数帯それぞれに対応した電気的な長さを有する板状の板金で形成され、操作部側筐体２の短手方向に長く形成される。なお、アンテナ６６の配置位置、形状、材料等は一例であり、これに限定されるものではない。
【００２９】
図３は、第１実施形態の携帯電話機１におけるアンテナ６６及びグランドエレメント７４の構成を示す概略図である。図３（ａ）は、回路基板７０を裏面７０ｂ側から視た図であり、図３（ｂ）は、リアケース２ｂを二次外観面２４側から視た図である。
【００３０】
図３（ａ）に示すように、フロントケース２ａには、回路基板７０及びアンテナ６６が配置される。回路基板７０の一端側（アンテナ６６が配置される側）には、接続端子７２ａ、７２ｂが形成される。
【００３１】
図３（ｂ）に示すように、リアケース２ｂの二次外観面２４側には、充電ピン７３ａ、７３ｂと、グランドエレメント７４と、が形成される。
図３（ａ）及び図３（ｂ）に示すフロントケース２ａ及びリアケース２ｂを重ね合わせて結合した場合、フロントケース２ａ及びリアケース２ｂは、回路基板７０及びアンテナ６６を収容する。
【００３２】
充電ピン７３ａは、正極（ＨＯＴ）側の充電ピンであり、充電ピン７３ｂは、負極（ＧＮＤ（グランド））側の充電ピンである。また、充電ピン７３ｂは、回路基板７０に形成されるグランド部７７（図５参照）と電気的に接続している。なお、グランド部７７は、例えば、回路基板７０に形成される基準電位パターン（不図示）である。
【００３３】
また、充電ピン７３ａ、７３ｂは、それぞれ接続端子７２ａ、７２ｂに対応しており、充電ピン７３ａと充電ピン７３ｂとの間隔は、接続端子７２ａと接続端子７２ｂとの間隔と等しくなっている。
【００３４】
フロントケース２ａにリアケース２ｂを重ね合わせて結合した場合、接続端子７２ａ及び充電ピン７３ａが接続し、接続端子７２ｂ及び充電ピン７３ｂが接続する。
この場合、接続端子７２ａ及び充電ピン７３ａは、二次電池８０の正極充電端子７１ａを構成し、接続端子７２ｂ及び充電ピン７３ｂは、二次電池８０の負極充電端子７１ｂを構成する。ここで、二次電池８０から出力される電力は、正極充電端子７１ａ及び負極充電端子７１ｂを介して、回路基板７０上に配置される電子部品に供給される。
【００３５】
グランドエレメント７４は、充電ピン７３ｂと一体に成形された板金からなり、Ｌ字形状を有している。グランドエレメント７４は、アンテナ６６の放射エレメント６６ａと対応する位置に配置されている。また、グランドエレメント７４は、３つの使用周波数帯のうち一の使用周波数帯に対応する放射エレメント６６ａの長手方向に対して、平行となるように形成されている。
【００３６】
グランドエレメント７４の電気的な長さは、例えば、第３の使用周波数帯（２ＧＨｚ帯）に対応した長さで形成される。このため、グランドエレメント７４は、第３の使用周波数帯に対応する放射エレメント６６ａにおける利得を向上させることができる。
また、グランドエレメント７４の一端（充電ピン７３ｂと一体に成形されていない側）は、開放端となっている。
【００３７】
図４は、フロントケース２ａとリアケース２ｂとを結合させた場合における断面構造を示す図であり、図３（ａ）及び図３（ｂ）に示すＡ−Ａ線断面図である。
図４に示すように、フロントケース２ａとリアケース２ｂとを結合させた場合、接続端子７２ａと充電ピン７３ａとが接続し、正極充電端子７１ａを構成する。また、接続端子７２ｂと充電ピン７３ｂとが接続し、負極充電端子７１ｂを構成する。
【００３８】
グランドエレメント７４は、二次外観面２４において、充電ピン７３ｂと一体に成形されている。また、グランドエレメント７４は、放射エレメント６６ａと対向する位置に形成されている。また、グランドエレメント７４は、放射エレメント６６ａと所定距離を隔てて形成されている。
【００３９】
図５は、放射エレメント６６ａ、回路基板７０、グランドエレメント７４、給電部７５及び充電ピン７３ｂの構成について示す模式図である。
図５に示すように、放射エレメント６６ａは、一端が開放端となっており、他端が給電部７５と接続している。また、上述したように、グランドエレメント７４は、一端が開放端となっており、他端が充電ピン７３ｂと一体に成形されることで、充電ピン７３ｂ（グランド部７７）と接続している。
【００４０】
給電部７５は、アンテナ６６に近接する位置（例えば、アンテナ６６上）に配置され、アンテナ６６に給電する。給電部７５は、放射エレメント６６ａ、回路基板７０及び充電ピン７３ｂと電気的に接続している。また、給電部７５は、グランド部７７と接続されており、グランド部７７は、接続端子７２ｂを介して、充電ピン７３ｂと接続されるため、給電部７５と充電ピン７３ｂとは、電気的に接続されているものとして扱うことができる。
【００４１】
このように第３の使用周波数帯を有する放射エレメント６６ａは、この放射エレメント６６ａに対応するグランドエレメント７４が所定距離を隔てて設けられているため、第３の使用周波数帯を送受信する際のアンテナ利得が向上する。
【００４２】
以上説明したように、第１実施形態の携帯電話機１は、給電部７５に接続されると共に、放射エレメント６６ａを有するアンテナ６６と、リアケース２ｂにおける放射エレメント６６ａに所定距離を隔てて配置され、充電ピン７３ｂ（負極充電端子７１ｂ）に接続されるグランドエレメント７４とを備えている。
【００４３】
これにより、グランドエレメント７４は、負極充電端子７１ｂと接続されるため、携帯電話機１の設計及び／又は製造時にグランドエレメント７４の組み込みが容易になる。したがって、携帯電話機１は、小型化及び薄型化を実現しつつ、アンテナ６６のアンテナ特性を維持することができる。
【００４４】
また、第１実施形態の携帯電話機１において、アンテナ６６は、複数の使用周波数帯を有するマルチバンドアンテナであり、グランドエレメント７４は、複数の使用周波数帯のうち一の使用周波数帯に対応する放射エレメント６６ａの長手方向に対して平行に形成される。
【００４５】
このように、携帯電話機１は、放射エレメント６６ａと、グランドエレメント７４とが平行に形成されているため、例えば、第３の使用周波数帯に対応する放射エレメント６６ａのアンテナ特性がより向上する。
【００４６】
また、第１実施形態の携帯電話機１において、グランドエレメント７４は、充電ピン７３ｂ（負極充電端子７１ｂ）と一体に成形された板金からなる。このため、携帯電話機１は、より好適に小型化及び薄型化を実現でき、さらにグランドエレメント７４の製造コストを削減できる。また、グランドエレメント７４は、充電ピン７３ｂと一体に成形されるため、携帯電話機１の設計及び／又は製造時にグランドエレメント７４の組み込みがより容易になる。また、グランドエレメント７４は、充電ピン７３ｂ（負極充電端子７１ｂ）と接続しているため、グランド部７７の安定化、及び各使用周波数帯におけるバンド幅の確保が容易になる。
【００４７】
また、第１実施形態の携帯電話機１において、グランドエレメント７４は、リアケース２ｂにおける回路基板７０と対向する側の面とは反対側の二次外観面２４に形成される。このため、携帯電話機１は、小型化及び薄型化をより好適に実現することができる。
【００４８】
以下、本発明の携帯無線端末装置の他の実施形態について説明する。他の実施形態については、主として、第１実施形態とは異なる点を説明し、第１実施形態と同様の構成について同一符号を付し、説明を省略する。他の実施形態について特に説明しない点については、第１実施形態についての説明が適宜適用される。
【００４９】
＜第２実施形態＞
本発明の第２実施形態に係る携帯電話機１について、図６及び図７を参照しながら説明する。図６は、第２実施形態の携帯電話機１におけるアンテナ６６及びグランドエレメント７４の構成を示す概略図である。図６（ａ）は、回路基板７０を裏面７０ｂ側から視た図であり、図６（ｂ）は、リアケース２ｂを内面２３側から視た図である。
【００５０】
図７は、第２実施形態の携帯電話機１において、フロントケース２ａとリアケース２ｂとを結合させた場合における断面構造を示す図であり、図６（ａ）及び図６（ｂ）に示すＡ−Ａ線断面図である。
【００５１】
図６及び図７に示すように、第２実施形態の携帯電話機１は、グランドエレメント７４がリアケース２ｂの内面２３側に形成されている点が第１実施形態とは異なる。
詳細には、グランドエレメント７４は、リアケース２ｂの内面２３側において、充電ピン７３ｂと一体に成形された板金からなり、逆Ｌ字形状で形成されている。グランドエレメント７４についての他の構成は、第１実施形態のグランドエレメント７４と同様の構成であるため、説明を省略する。
【００５２】
第２実施形態の携帯電話機１は、内面２３にグランドエレメント７４を形成するため、例えば、設計上の都合等によりリアケース２ｂの二次外観面２４にグランドエレメント７４が形成できない場合であっても、第１実施形態と同様の効果を奏することができる。
【００５３】
＜第３実施形態＞
次に、本発明の第３実施形態に係る携帯電話機１について、図８及び図９を参照しながら説明する。図８は、第２実施形態の携帯電話機１におけるアンテナ６６及びグランドエレメント７４の構成を示す概略図である。詳細には、図８は、回路基板７０の裏面７０ｂ側から視た図である。図９は、第３実施形態の携帯電話機１において、フロントケース２ａとリアケース２ｂとを結合させた場合における断面構造を示す図であり、図８に示すＡ−Ａ線断面図である。
【００５４】
図８及び図９に示すように、第２実施形態の携帯電話機１は、リアケース２ｂに代えて、回路基板７０の裏面７０ｂ側にグランドエレメント７４が実装（形成）されている点が第１及び第２実施形態とは異なる。詳細には、図８に示すように、グランドエレメント７４は、接続端子７２ｂと一体に成形されて、回路基板７０に実装されている。また、接続端子７２ｂは、回路基板７０のグランド部７７と接続している。また、図８及び図９に示すように、グランドエレメント７４は、回路基板７０のアンテナ６６に近接する位置に配置されている。
【００５５】
第３実施形態の携帯電話機１は、グランドエレメント７４が回路基板７０に実装されるため、第１実施形態の携帯電話機１の効果に加え、例えば、回路基板７０の厚さ方向において設計の自由度を向上させることができる。
【００５６】
＜第４実施形態＞
次に、本発明の第４実施形態に係る携帯電話機１について、図１０を参照しながら説明する。図１０は、第４実施形態の携帯電話機１におけるアンテナ６６及びグランドエレメント７４の構成を示す概略図である。図１０（ａ）は、回路基板７０の裏面７０ｂ側から視た図であり、図１０（ｂ）は、リアケース２ｂの二次外観面２４側から視た図である。
【００５７】
図１０に示すように、第４実施形態の携帯電話機１は、リアクタンス素子７６を備える点が第１〜第３実施形態とは異なる。
リアクタンス素子７６は、充電ピン７３ｂとグランドエレメント７４との間に形成され、二次電池８０の充電時に発生する所定の周波数帯の信号を減衰（抑制）する。リアクタンス素子７６としては、例えば、コイル又はコンデンサを用いることができる。また、コイル又はコンデンサは、二次電池８０の充電時に発生する所定の周波数帯の信号に応じて適宜選択される。
【００５８】
第４実施形態の携帯電話機１は、小型化及び薄型化を実現しつつ、アンテナ６６のアンテナ特性を維持することができ、さらに二次電池８０から発生する所定の周波数帯の信号に起因するノイズを抑制することができる。
【００５９】
以上、本発明の実施形態について説明したが、本発明は上述した実施形態に制限されるものではなく、適宜変更が可能である。例えば、上述した実施形態では、アンテナ６６は、３つの使用周波数帯に対応するように構成されていたが、本発明はこれに限らず、例えば、アンテナ６６は、１、２又は４以上の使用周波数帯に対応するように構成されていてもよい。また、上述した実施形態では、グランドエレメント７４は、第３の使用周波数帯に対応するように構成されていたが、本発明はこれに限らず、他の使用周波数帯に対応するように構成されていてもよい。
【００６０】
また、上述した実施形態では、グランドエレメント７４は、回路基板７０に接続されていたが、本発明はこれに限らず、例えば、フレキシブルプリント回路基板５０に接続されていてもよい。
【００６１】
また、上述した実施形態では、本発明の携帯無線端末装置としての携帯電話機１について説明したが、これに限定されず、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【００６２】
１  携帯電話機（携帯無線端末装置）
２  操作部側筐体（筐体）
６５  支持部材
６６  アンテナ
６６ａ  放射エレメント
７０  回路基板
７２ａ  接続端子（充電端子、正極充電端子）
７２ｂ  接続端子（充電端子、負極充電端子）
７３ａ  充電ピン（充電端子、正極充電端子）
７３ｂ  充電ピン（充電端子、負極充電端子）
７４  グランドエレメント
７７  グランド部
９０  二次電池
【図１】
2011135249.tif 000003
【図２】
2011135249.tif 000004
【図３】
2011135249.tif 000005
【図４】
2011135249.tif 000006
【図５】
2011135249.tif 000007
【図６】
2011135249.tif 000008
【図７】
2011135249.tif 000009
【図８】
2011135249.tif 000010
【図９】
2011135249.tif 000011
【図１０】
2011135249.tif 000012